(57)【要約】【課題】使い勝手のよいウェットペーパー収納容器用ホルダを提供する。【解決手段】本発明のウェットペーパー収納容器用ホルダ100は、ウェットペーパー収納容器10の底面に合わさるプレート110と、このプレート110の周壁112に一体的に設けられ容器10を抑え込んでプレート110に着脱自在に係止する複数の爪部113と、プレート110を容器10と共にトイレットペーパーホルダ20に対して支持する支持部材120とを備え、プレート110に、支持部材120の先端121に選択的に嵌り込み、該プレート110を容器10と共に水平支持、垂直支持する２つ嵌合通路114，115を設けている。【選択図】図８
2005110925.tif 000002
【特許請求の範囲】
【請求項１】
ウェットペーパー収納容器の底面に合わさるプレートと、このプレートに一体的に設けられ該ウェットペーパー収納容器を抑え込んで前記プレートに着脱自在に係止する複数の爪部と、前記プレートを前記ウェットペーパー収納容器と共に支持する支持部材とを備え、
前記プレートに、前記支持部材の先端に選択的に嵌り込み、該プレートを前記ウェットペーパー収納容器と共に水平支持、垂直支持または任意の角度に支持する２以上の嵌合通路を設けてなることを特徴とするウェットペーパー収納容器用ホルダ。
【請求項２】
前記プレートは、その嵌合通路を開放する開放穴を備えるものであって、
前記支持部材は、前記開放穴の縁部と係合して前記支持部材を抜け止めする突起を備える請求項１に記載のウェットペーパー収納容器用ホルダ。
【請求項３】
前記プレートは、その嵌合通路の内部に突起または凹みを備えるものであって、
前記支持部材は、前記嵌合通路の突起または凹みと係合して前記該支持部材を抜け止めする凹みまたは突起を備える請求項１または２に記載のウェットペーパー収納容器用ホルダ。
【請求項４】
前記支持部材は、その先端に切り欠きを備えるものであって、
前記プレートは、前記切り欠きに挟み込まれて前記支持部材のガタ付きを防止するガイド壁を備えるものである請求項１乃至３のいずれか一項に記載のウェットペーパー収納容器用ホルダ。
【請求項５】
前記支持部材は、その後端を隙間に挿し込んで前記プレートと共にウェットペーパー収納容器を支持するものであって、その一部を切り起こして引き抜きを阻止する弾性舌片を設けてなる請求項１乃至４のいずれか一項に記載のウェットペーパー収納容器用ホルダ。
【請求項６】
前記プレートは、その表裏を貫通する開口を有し、この開口に前記支持部材を取り外し可能に配置してなる請求項１乃至５のいずれか一項に記載のウェットペーパー収納容器用ホルダ。
【請求項７】
前記プレートと前記支持部材との相互間に、この支持部材を引き上げて前記プレートの開口から毟り取る取り外し開口を備える請求項６に記載のウェットペーパー収納容器用ホルダ。
【発明の詳細な説明】
【技術分野】
【０００１】
本発明は、ウェットペーパー収納容器を着脱自在に支持するウェットペーパー収納容器用ホルダに関するものである。
【背景技術】
【０００２】
ウェットペーパーは、通常のドライペーパーに比べて使い勝手がよいため、様々な場所で用いられている。ところが、ウェットペーパーという性質上、耐水性に優れた樹脂などからなる専用容器に収納する必要があるため、ウェットペーパー収納容器を載置する場所が狭かったり、載置場所自体がない場合、不便であった。
【０００３】
このため、ウェットペーパー収納容器をプレートによって着脱自在に保持し、このプレートをトイレットペーパーホルダの隙間に挿し込んだり、壁にビス止め等するホルダ（例えば、特許文献１参照。）が提案されている。また、プレートに設けた吸盤を介して壁に取り付けるホルダ（例えば、特許文献２参照。）が提案されている。また同様な構成のものとして、ティッシュペーパーボックスをプレートによって着脱自在に保持し、このトイレットペーパーホルダの隙間に挿し込むホルダに提案されている（例えば、特許文献３参照。）。
【０００４】
【特許文献１】特開２００１−１４５５８３号公報
【特許文献２】特開２００３−１６０１３９号公報
【特許文献３】特開２００２−３００９８５号公報
【発明の開示】
【発明が解決しようとする課題】
【０００５】
しかしながら、上記従来技術はいずれも、壁やトイレットペーパーホルダ等の室内定着部に対してウェットペーパー収納容器の向きが一方向のみにしか決まらないため、室内定着部周辺の空きスペースの条件によりホルダを設置できなかったり、ホルダを設置してもウェットペーパーが取り出し難いなどの問題があって、使い勝手がよくないという不都合があった。
【０００６】
本発明は、こうした事実に鑑みてなされたものであり、使い勝手のよいウェットペーパー収納容器用ホルダを提供することを目的とする。
【課題を解決するための手段】
【０００７】
請求項１に係る発明は、ウェットペーパー収納容器の底面に合わさるプレートと、このプレートに一体的に設けられ該ウェットペーパー収納容器を抑え込んで前記プレートに着脱自在に係止する複数の爪部と、前記プレートを前記ウェットペーパー収納容器と共に支持する支持部材とを備え、前記プレートに、前記支持部材の先端に選択的に嵌り込み、該プレートを前記ウェットペーパー収納容器と共に水平支持、垂直支持または任意の角度に支持する２以上の嵌合通路を設けてなることを特徴とするウェットペーパー収納容器用ホルダである。
【０００８】
請求項２に係る発明は、請求項１に係る発明において、前記プレートが、その嵌合通路を開放する開放穴を備えるものであって、前記支持部材は、前記開放穴の縁部と係合して前記支持部材を抜け止めする突起を備えるものである。
【０００９】
請求項３に係る発明は、請求項１または２に係る発明において、前記プレートが、その嵌合通路の内部に突起または凹みを備えるものであって、前記支持部材は、前記嵌合通路の突起または凹みと係合して該支持部材を抜け止めする凹みまたは突起を備えるものである。
【００１０】
請求項４に係る発明は、請求項１乃至３のいずれか一発明において、前記支持部材は、その先端に切り欠きを備えるものであって、前記プレートは、前記切り欠きに挟み込まれて前記支持部材のガタ付きを防止するガイド壁を備えるものである。
【００１１】
請求項５に係る発明は、請求項１乃至４のいずれか一発明において、前記支持部材は、その後端を隙間に挿し込んで前記プレートと共にウェットペーパー収納容器を支持するものであって、その一部を切り起こして引き抜きを阻止する弾性舌片を設けてなるものである。
【００１２】
請求項６に係る発明は、請求項１乃至５のいずれか一発明において、前記プレートは、その表裏を貫通する開口を有し、この開口に前記支持部材を取り外し可能に配置してなるものである。
【００１３】
請求項７に係る発明は、請求項６において、前記プレートと前記支持部材との相互間に、この支持部材を引き上げて前記プレートの開口から毟り取る取り外し開口を備えるものである。
【発明の効果】
【００１４】
請求項１に係る発明は、ウェットペーパー収納容器を保持するプレートと、このプレートを支持する支持部材とを別体に設け、この支持部材の先端をプレートに設けた嵌合通路に選択的に嵌め込んでウェットペーパー収納容器を水平、垂直または任意の角度の少なくとも２つの異なる角度で支持できるから、ホルダの設置条件やウェットペーパーの取り出しやすさ等を考慮した使い勝手のよいウェットペーパー収納容器用ホルダを提供することができる。加えて請求項１に係る発明は、支持部材の先端をプレートに設けた嵌合通路に選択的に嵌め込むだけで組み付けできるから、組み立て作業性に優れる。
【００１５】
請求項２に係る発明は、嵌合通路に設けた開放穴の縁部に支持部材に設けた突起を係合させるから、支持部材をプレートに対して確実に抜け止めすることができる。
【００１６】
請求項３に係る発明は、嵌合通路の内部に設けた突起または凹みを支持部材に設けた凹みまたは突起に係合させるから、支持部材をプレートに対して確実に抜け止めすることができる。
【００１７】
請求項４に係る発明は、支持部材の先端に設けた切り欠きでプレートに設けたガイド壁を挟み込むことから、支持部材のガタ付きを確実に防止することができる。
【００１８】
請求項５に係る発明は、支持部材の後端を隙間に挿し込んだ支持部材にその一部を切り起こした弾性舌片を設けたことから、支持部材の引き抜きを阻止してホルダの脱落を防止することができる。
【００１９】
請求項６に係る発明は、プレートの表裏を貫通する開口に、支持部材を取り外し可能に配置してなるから、ホルダをプレートと支持部材からなる組み立てキットとして大量安価に流通させることができる。
【００２０】
請求項７に係る発明は、プレートと支持部材との相互間に、この支持部材を引き上げてプレートの開口から毟り取る取り外し開口を備えるから、プレートと支持部材との分離が容易であり、組み立てキットとした場合の組み立て作業性に優れる。
【発明を実施するための最良の形態】
【００２１】
以下、本発明の一形態を、図面を参照して詳細に説明する。
図１，２はそれぞれ、ウェットペーパー収納容器１０を水平に保持する横置きホルダ１００の斜視分解図および斜視組み付け図である。まずウェットペーパー収納容器１０は、開閉カバー１１を備えた容器本体１２と、容器本体１２に取り付けられる容器底蓋１３とからなり、ウェットペーパーを収容した図示せぬ密閉袋等を、容器本体１２と容器底蓋１３との間に形成された空間内に収納する。また容器本体１２および容器底蓋１３の合わせ面にはそれぞれ、フランジ部１２ｆ，１３ｆが形成されている。
【００２２】
ホルダ１００は、図１に示す如く、ウェットペーパー収納容器１０の底面に合わさるプレート１１０と、このプレート１１０をウェットペーパー収納容器１０と共にトイレットペーパーホルダ２０に対して支持する支持部材１２０からなる。トイレットペーパーホルダ２０は、壁等に取り付けられてトイレットペーパー２０ａを保持するホルダ本体２１とこのホルダ本体２１に対して回動自在に支持されるホルダカバー２２からなる。
【００２３】
プレート１１０は、ウェットペーパー収納容器１０を配置する底部１１１にウェットペーパー収納容器１０を３方から包囲する周壁１１２を一体的に設け、この周壁１１２の内側には、ウェットペーパー収納容器１０のフランジ部１２ｆ，１３ｆを抑え込んでプレート１１０に着脱自在に係止する複数の爪部１１３が一体的に設けられている。
【００２４】
支持部材１２０は、図１に示す如く、その先端１２１がプレート１１０に設けた後述する嵌合通路１１４に嵌り込む一方、その後端１２２がトイレットペーパーホルダ２０の隙間Ｃに挿し込まれてプレート１１０をウェットペーパー収納容器１０と共にトイレットペーパーホルダ２０つまりホルダ１００を取り付ける壁に対して水平支持する。
【００２５】
また図３，４はそれぞれ、ウェットペーパー収納容器１０を垂直に保持する縦置きホルダ１００の斜視分解図および斜視組み付け図である。この場合、支持部材１２０は、その先端１２１がプレート１１０に設けた後述する嵌合通路１１５に嵌り込む一方、その他端１２２がトイレットペーパーホルダ２０の隙間Ｃに挿し込まれてプレート１１０をウェットペーパー収納容器１０と共にトイレットペーパーホルダ２０つまりホルダ１００を取り付ける壁に対して垂直支持する。
【００２６】
ここで、図５は、プレート１１０内に支持部材１２０を一体に組み込んだキットを示す上面図であり、図６（ａ），（ｂ）はそれぞれ、図５のキットを示す下面図および支持部材１２０を水平に嵌め込んだ状態を示す要部拡大図である。図７は、図５を方向ｄから示す側面図であり、図８（ａ），（ｂ）はそれぞれ、図５のＡ−Ａ断面図および支持部材１２０を垂直に嵌め込んだ状態を示す要部拡大図である。また図９（ａ），（ｂ）はそれぞれ、図６のＢ−Ｂ断面図およびＣ−Ｃ断面図であり、特に図９（ａ）には、後述する支持部材１２０の先端１２１を拡大して示す。
【００２７】
以下、図５〜９を参照して、ウェットペーパー収納容器用ホルダ１００をその形態別に説明する。
【００２８】
まずウェットペーパー収納容器１０を水平に固定保持する横置きホルダ１００の形態を説明すると、プレート１１０の周壁１１２のうち、２つの周壁１１２に繋がる周壁１１２ａには、図６，８に示す如く、支持部材１２０の先端１２１が嵌り込む嵌合通路１１４が設けられている。この嵌合通路１１４は、その内部に、嵌合通路１１４を仕切るガイド壁１１６ａと突起１１４ｐとが一体に設けられており、この突起１１４ｐ付近の周壁１１２ａを切り取って該嵌合通路１１４を開放する開放穴１１７を形成している。これに対し、支持部材１２０は、図５および図６（ａ）に示す如く、その側縁の両側に段部１２０ｓを設けて先端１２１を形成し、この先端１２１は、その中心に切り欠き１２３を設けて２つの突部１２１ａに分割されている。また突部１２１ａの表裏両面には、図５，図６（ｂ）および図９の拡大部Ｘに示す如く、切り欠き１２３近傍を薄肉にした表面１２１ｆに突起１２４を一体に設け、この突起１２４と表面１２１ｆの段差１２１ｆ(e)との間に凹み１２５を形成している。
【００２９】
かかる構成によれば、プレート１１０と支持部材１２０とを横置きホルダ１００に組み付ける際には、図８（ａ）に示す如く、支持部材１２０の先端１２１を矢印Ｄ1の方向から嵌合通路１１４に着脱可能に嵌め込めばよい。このとき、支持部材１２０に設けた２つの突部１２１ａは、ガイド壁１１６ａで仕切られた嵌合通路１１４それぞれに切り欠き１２３の根元１２３ｅがガイド壁１１６ａの端縁１１６ａ(e)に当接する位置まで嵌合し、図８（ｂ）に示す如く、その突起１２４がそれぞれ突起１１４ｐと整列する開放穴１１７の縁部１１７ｅに係合すると共に凹み１２５に突起１１４ｐが係合して支持部材１２０をプレート１１０に対して確実に抜け止めする。そして同時に、切り欠き１２３がガイド壁１１６ａと密着して挟み込むから、支持部材１２０がプレート１１０に対してガタ付くのを確実に防止する。なお、嵌合孔１１４に設けた突起１１４ｐは、支持部材１２０の突起１２４の乗り越えが自在な微少な突起であり、本形態では、プレート１１０から支持部材１２０を着脱しやすよう、凹み１２５に対して隙間Ｃを形成した状態で係合している。
【００３０】
また、ウェットペーパー収納容器１０を水平に固定保持する横置きホルダ１００の正面図および側面図をそれぞれ図１０（ａ），（ｂ）に示す。横置きホルダ１００では、本形態の如く、支持部材１２０に設けた突起１２４および凹み１２５は、切り欠き１２３近傍に設けているが、先端１２１の位置であればよく、それに併せて開放穴１１７および突起１１４ｐの位置も適宜変更させることができる。
【００３１】
また、突部１２１ａの薄肉表面１２１ｆ上に突起１２４を形成しているが、突部１２１ａを薄肉にすることなく突起１２４を形成し、この突起１２４を開放穴１１７の縁部１１７ｅに係合させてもよい。但し、この場合の凹み１２５には、切り欠き１２３に対して交差する方向に延在する横溝などを採用する。
【００３２】
さらに本形態では、嵌合通路１１４に設けた開放穴１１７の縁部１１７ｅに支持部材１２０に設けた突起１２４を係合させる構成と、嵌合通路１１４の内部に設けた突起１１４ｐを支持部材１２０に設けた凹み１２５に係合させる構成との両方を採用することが好ましいが、上記の如く、凹み１２５を薄肉表面１２１ｆとは別に領域に設けるなどして、これらの２つの構成を設計条件等に応じて少なくとも一方だけを採用するようにしてもよい。この場合、支持部材１２０に突起１１４ｐと同様の突起を設け、嵌合通路１１４に凹み１２５と同様の凹みを設けて支持部材１２０の抜け止めとすることもできる。
【００３３】
次にウェットペーパー収納容器１０を垂直に固定保持する縦置きホルダ１００の形態を説明すると、図７，８に示す如く、プレート１１０の周壁１１２ａ側を挿入口とし底部１１１と平行に支持部材１２０の先端１２１が嵌り込む嵌合通路１１５が設けられている。この嵌合通路１１５も、その内部に、嵌合通路１１５を仕切るガイド壁１１６ｂと突起１１５ｐとが一体に設けられている。そして嵌合通路１１５にも、底部１１１の表面を切り取って嵌合通路１１５を開放する開放穴１１８を形成すると共に、突起１１５ｐ付近の底部１１１の裏面を切り取って開放する開放穴１１９を形成している。
【００３４】
かかる構成によれば、プレート１１０と支持部材１２０とを縦置きホルダ１００に組み付ける際には、図８に示す如く、支持部材１２０の先端１２１を矢印Ｄ2の方向から着脱可能に嵌め込めばよい。このとき、支持部材１２０に設けた２つの突部１２１ａは、ガイド壁１１６ｂで仕切られた嵌合通路１１５それぞれに切り欠き１２３の根元１２３ｅがガイド壁１１６ｂの端縁１１６ｂ(e)に当接する位置まで嵌合し、図６（ｂ）に示す如く、その突起１２４がそれぞれ突起１１５ｐと整列する開放穴１１９の縁部１１９ｅに係合すると共に、図８（ｂ）に示すと同様に、凹み１２５に突起１１５ｐが係合して支持部材１２０をプレート１１０に対して確実に抜け止めする。そして同時に、切り欠き１２３が嵌合通路１１５を仕切るガイド壁１１６ｂと密着して挟み込むから、支持部材１２０がプレート１１０に対してガタ付くのを確実に防止する。なお、嵌合孔１１５に設けた突起１１５ｐも、支持部材１２０の突起１２４の乗り越えが自在な微少な突起であり、プレート１１０から支持部材１２０を着脱しやすよう、凹み１２５に対して隙間Ｃを形成した状態で係合している。
【００３５】
また、ウェットペーパー収納容器１０を垂直に固定保持する縦置きホルダ１００の正面図および側面図をそれぞれ図１１（ａ），（ｂ）に示す。縦置きホルダ１００も、開放穴１１９および突起１１５ｐの位置は、支持部材１２０に設けた突起１２４および凹み１２５の位置に併せて適宜変更させることができる。
【００３６】
また縦置きホルダ１００も、突部１２１ａを薄肉にすることなく突起１２４を形成し、この突起１２４を開放穴１１９の縁部１１９ｅに係合させてもよい。但し、この場合の凹み１２５も、切り欠き１２３に対して交差する方向に延在する横溝などを採用する。
【００３７】
さらに本形態も、嵌合通路１１５に設けた開放穴１１９の縁部１１９ｅに支持部材１２０に設けた突起１２４を係合させる構成と、嵌合通路１１５の内部に設けた突起１１５ｐを支持部材１２０に設けた凹み１２５に係合させる構成との両方を採用することが好ましいが、横置きホルダと同様、凹み１２５を薄肉表面１２１ｆとは別に領域に設けるなどして、これらの２つの構成を設計条件等に応じて少なくとも一方だけを採用するようにしてもよい。この場合も、支持部材１２０に突起１１５ｐと同様の突起を設け、嵌合通路１１５に凹み１２５と同様の凹みを設けて支持部材１２０の抜け止めできる。
【００３８】
ところで、支持部材１２０は、トイレットペーパーホルダ２０の隙間Ｃに挿し込んでプレート１１０と共にウェットペーパー収納容器１０を支持するものであることから、支持部材１２０には、その一部を切り起こして支持部材１２０の引き抜きを阻止する弾性舌片１２６が設けられている。この場合、支持部材１２０を隙間Ｃに挿し込んだ後は、弾性舌片１２６がホルダカバー２２の裏面と接触して引っ掛るため、支持部材１２０の引き抜きを阻止してホルダ１００の脱落を防止する。
【００３９】
また本形態は、図５，６に示す如く、プレート１１０の表裏を貫通する開口Ｈを底部１１１に設け、この開口Ｈに支持部材１２０を複数のランナ１１１ｒを介して取り外し可能に配置することができる。かかる構成によれば、図５〜９に示す如く、ホルダ１００をプレート１１０と支持部材１２０からなる組み立てキットとして大量安価に流通させることができる。
【００４０】
また本形態は、図５，６に示す如く、プレート１１０の底部１１１に、この支持部材１２０を引き上げて底部１１１の開口Ｈから毟り取る取り外し開口Ｈ1を備える。かかる構成によれば、プレート１１０と支持部材１２０との分離が容易であり、組み立てキットとした場合の組み立て作業性に優れる。なお、取り外し開口Ｈ1は、支持部材１２０に設けてもよい。
【００４１】
なお、本形態では、支持部材１２０の先端１２１が嵌り込む嵌合通路は、プレート１１０の底部１１１に沿って水平に設けた嵌合通路１１４と、周壁１１２に沿って垂直に設けた嵌合通路１１５とで説明したが、嵌合通路は底面１１１から周壁１１２に沿った任意の角度に設けてもよい。この場合、嵌合通路は、少なくとも、ウェットペーパー収納容器１０をプレート１１０と共にトイレットペーパーホルダ２０に対して異なる２つ以上の角度で支持できれば、その組み合わせは問わない。
【００４２】
上述した如く本発明に係るホルダ１００は、ウェットペーパー収納容器１０を保持するプレート１１０と、このプレート１１０を支持する支持部材１２０とを別体に設け、この支持部材１２０の先端１２１をプレート１１０に設けた嵌合通路１１４，１１５に選択的に嵌め込んでウェットペーパー収納容器１０を水平、垂直または任意の角度の少なくとも２つの異なる角度で支持できるから、ウェットペーパー収納容器用ホルダの設置条件やウェットペーパーの取り出しやすさ等を考慮した使い勝手のよいウェットペーパー収納容器用ホルダを提供することができる。加えて本発明は、支持部材１２０の先端１２１をプレート１１０に設けた嵌合通路１１４，１１５に選択的に嵌め込むだけで組み付けできるから、組み立て作業性に優れる。
【００４３】
なお、上記形態は、本発明の一例に過ぎず、当業者によれば、特許請求の範囲において、種々の変更が可能である。例えば、嵌合通路１１４，１１５は、プレート１１０の周壁１１２ａ付近に設けられているが、他の周壁１１２の付近に設けてもよい。また嵌合通路１１４，１１５はそれぞれプレート１１０上の異なる位置に設けてもよい。さらに嵌合通路１１４，１１５は、ガイド壁１１６で仕切ることなく、単体孔若しくは複数孔であってもよい。この場合、支持部材１２０の先端１２１は、切り欠き１２３を設けることなく、嵌合通路１１４，１１５に応じて単数または複数に分けてもよい。加えて支持部材１２０の突部１２１ａに設けた突起１２４および凹み１２５も、嵌合通路１１４，１１５との結合力に応じて適宜省略してもよい。また支持部材１２０の後端１２２も、ホルダ１００を支持する場所に応じて適宜変更可能であり、例えば、ホルダ１００を壁に対して支持する場合は、ビス止め、吸盤などの従来技術を用いて固定させてもよい。
【図面の簡単な説明】
【００４４】
【図１】本発明の一形態であるウェットペーパー収納容器を水平に保持する横置きホルダの斜視分解図である。
【図２】同形態における横置きホルダの斜視図である。
【図３】本発明の一形態であるウェットペーパー収納容器を垂直に保持する縦置きホルダの斜視分解図である。
【図４】同形態における縦置きホルダの斜視図である。
【図５】同形態におけるプレート内に支持部材を一体に組み込んだキットを示す上面図である。
【図６】（ａ），（ｂ）はそれぞれ、同形態におけるキットを示す下面図および支持部材を水平に嵌め込んだ状態を示す要部拡大図である。
【図７】図５を方向ｄから示す側面図である。
【図８】（ａ），（ｂ）はそれぞれ、図５のＡ−Ａ断面図および支持部材を垂直に嵌め込んだ状態を示す要部拡大図である。
【図９】（ａ），（ｂ）はそれぞれ、図６のＢ−Ｂ断面図およびＣ−Ｃ断面図である。
【図１０】（ａ），（ｂ）はそれぞれ、ウェットペーパー収納容器を水平に固定保持する横置きホルダの正面図および側面図である。
【図１１】（ａ），（ｂ）はそれぞれ、ウェットペーパー収納容器を水平に固定保持する縦置きホルダの正面図および側面図である。
【符号の説明】
【００４５】
１０  ウェットペーパー収納用容器
１１  開閉カバー
１２  容器本体
１３  容器底蓋
２０  トイレットペーパーホルダ
２０ａ  トイレットペーパー
２１  ホルダ本体
２２  ホルダカバー
１００  プレート
１１１  底部
１１１ｒ  ランナ
１１２  周壁
１１３  爪部
１１４  嵌合通路
１１４ｐ  突起
１１５  嵌合通路
１１５ｐ  突起
１１６  ガイド壁
１１７  開放穴
１１７ｅ  縁部
１１９  開放穴
１１９ｅ  縁部
１２０  支持部材
１２０ｓ  段部
１２１  先端
１２１ａ  突部
１２１ｆ  薄肉表面
１２２  後端
１２３  切り欠き
１２４  突起
１２５  凹み
１２６  弾性舌片
Ｈ  開口
Ｈ１  取り外し開口
【図１】
2005110925.tif 000003
【図２】
2005110925.tif 000004
【図３】
2005110925.tif 000005
【図４】
2005110925.tif 000006
【図５】
2005110925.tif 000007
【図６】
2005110925.tif 000008
【図７】
2005110925.tif 000009
【図８】
2005110925.tif 000010
【図９】
2005110925.tif 000011
【図１０】
2005110925.tif 000012
【図１１】
2005110925.tif 000013